(57)【要約】【課題】遊技場内に設置した全ての遊技機において、入替えまたは移動等を行った遊技機を、遊技場管理装置が自動的に認識することが可能であり、入替えまたは移動を行った遊技機の設定内容の変更作業を大幅に低減可能な遊技場管理システムを提供する。【解決手段】読み取り装置は遊技場内の所定エリア毎に設けられ、無線装置は管理装置から通信可能な状態にされた場合、読み取り装置からの要求信号を受信すると識別情報を含む応答信号を出力する。記憶装置には、無線装置の識別情報に、遊技機に関する情報が対応付けられた対応情報が記憶されている。管理装置は、所定エリア毎の台番号の割付け位置を認識しており、台番号毎に無線装置を通信可能な状態に制御可能であり、無線装置を順番に通信可能にするとともに、通信可能にしている無線装置の台番号に対応させて、通信可能にしている無線装置から受信した応答信号に含まれている識別情報を対応付ける。【選択図】        図２
2006034399.tif 000002
【特許請求の範囲】
【請求項１】
識別情報が記憶された無線装置と、当該識別情報を無線通信にて読み取り可能な読み取り装置と、管理装置と、記憶装置とを備えた遊技場管理システムであって、
遊技場内において遊技機を配置する位置には任意の台番号が割付けられており、
無線装置を各遊技機に取り付けるとともに前記各遊技機を台番号が割付けられた位置に任意に配置し、
読み取り装置は、遊技場内の所定エリア毎に設けられ、当該所定エリア内の台番号が割付けられた位置に配置された遊技機に取り付けられている無線装置の識別情報を読み取り可能であり、
無線装置は、管理装置から通信可能な状態にされた場合、読み取り装置からの要求信号を受信すると、識別情報を含む応答信号を出力し、
記憶装置には、無線装置の識別情報に、当該無線装置が取り付けられた遊技機に関する情報が対応付けられた対応情報が記憶されており、
管理装置は、所定エリア毎の台番号の割付け位置を認識しており、台番号毎に無線装置を通信可能な状態に制御可能であり、所定エリア内の台番号の無線装置を順番に通信可能な状態にするとともに、読み取り装置を介して応答信号を受信し、通信可能な状態にしている無線装置の台番号に対応させて、当該通信可能な状態にしている無線装置から受信した応答信号に含まれている識別情報を対応付ける、
ことを特徴とする遊技場管理システム。
【請求項２】
識別情報が記憶された無線装置と、当該識別情報を無線通信にて読み取り可能な読み取り装置と、管理装置と、記憶装置とを備えた遊技場管理システムであって、
遊技場内において遊技機を配置する位置には任意の台番号が割付けられており、
無線装置を各遊技機に取り付けるとともに前記各遊技機を台番号が割付けられた位置に任意に配置し、
読み取り装置は、遊技場内の所定エリア毎に設けられ、所定エリア内において単数列または複数列に直線状に配置された台番号の端部に設けられており、要求信号の出力レベルを可変であり、所定エリア内の台番号が割付けられた位置に配置された遊技機に取り付けられている無線装置の識別情報を読み取り可能であり、
無線装置は、読み取り装置からの要求信号を受信すると、識別情報を含む応答信号を出力し、
記憶装置には、無線装置の識別情報に、当該無線装置が取り付けられた遊技機に関する情報が対応付けられた対応情報が記憶されており、
管理装置は、所定エリア毎の台番号の割付け位置を認識しており、読み取り装置から要求信号を出力する際、要求信号の出力レベルを第１所定レベルから徐々に増加、または第２所定レベルから徐々に減少させていき、
第１所定レベルから徐々に増加させた場合は、
最初に検出した識別情報の無線装置が、読み取り装置から最も近い位置の台番号の位置の無線装置であると判定し、更に要求信号の出力レベルを徐々に増加させていき、新たに検出した識別情報の無線装置が、前回までに検出した無線装置の台番号の位置の次に近い台番号の位置の無線装置であると順次判定し、読み取り装置に対して最も遠い位置の台番号に対応する無線装置まで判定し、台番号に対応させて識別情報を対応付け、
第２所定レベルから徐々に減少させた場合は、
最初に検出できなくなった識別情報の無線装置が、読み取り装置から最も遠い位置の台番号の位置の無線装置であると判定し、更に要求信号の出力レベルを徐々に低下させていき、新たに検出できなくなった識別情報の無線装置が、前回までに検出した無線装置の台番号の位置の次に遠い台番号の位置の無線装置であると順次判定し、読み取り装置に対して最も近い位置の台番号に対応する無線装置まで判定し、台番号に対応させて識別情報を対応付ける、
ことを特徴とする遊技場管理システム。
【請求項３】
識別情報が記憶された無線装置と、当該識別情報を無線通信にて読み取り可能な読み取り装置と、管理装置と、記憶装置とを備えた遊技場管理システムであって、
遊技場内において遊技機を配置する位置には任意の台番号が割付けられており、
無線装置を各遊技機に取り付けるとともに前記各遊技機を台番号が割付けられた位置に任意に配置し、
読み取り装置は、遊技場内の所定エリア毎に設けられ、所定エリア内において単数列または複数列に直線状に配置された台番号の端部に設けられており、所定エリア内の台番号が割付けられた位置に配置された遊技機に取り付けられている無線装置の識別情報を読み取り可能であり、
無線装置は応答信号の出力レベルを可変であり、読み取り装置からの要求信号を受信すると、識別情報と出力レベル情報とを含む応答信号を複数回出力するとともに、各応答信号は第１所定レベルから第２所定レベルまでの間を少なくとも台番号に対応付ける無線装置の数よりも大きい数に相当する複数のレベル毎に出力され、
記憶装置には、無線装置の識別情報に、当該無線装置が取り付けられた遊技機に関する情報が対応付けられた対応情報が記憶されており、
管理装置は、所定エリア毎の台番号の割付け位置を認識しており、同一の識別情報が含まれている応答信号の中から最も小さな出力レベル情報を含む応答信号を抽出することを、識別情報毎に行い、
管理装置は、抽出した応答信号の中から最も小さな出力レベル情報が含まれている応答信号の識別情報に対応する無線装置が、読み取り装置に最も近い位置の台番号に対応すると判定し、次に小さな出力レベル情報が含まれている応答信号の識別情報に対応する無線装置が、読み取り装置に対して次に近い位置の台番号に対応すると順次判定し、読み取り装置に対して最も遠い位置の台番号に対応する無線装置まで判定し、台番号に対応させて識別情報を対応付ける、
または、管理装置は、抽出した応答信号の中から最も大きな出力レベル情報が含まれている応答信号の識別情報に対応する無線装置が、読み取り装置に最も遠い位置の台番号に対応すると判定し、次に大きな出力レベル情報が含まれている応答信号の識別情報に対応する無線装置が、読み取り装置に対して次に遠い位置の台番号に対応すると順次判定し、読み取り装置に対して最も近い位置の台番号に対応する無線装置まで判定し、台番号に対応させて識別情報を対応付ける、
ことを特徴とする遊技場管理システム。
【請求項４】
請求項２または３に記載の遊技場管理システムであって、
無線装置は、管理装置から通信可能な状態にされた場合に応答信号を出力可能であり、
所定エリア内に台番号が複数列で配置されている場合、管理装置は列毎に無線装置を通信可能な状態に制御可能である、
ことを特徴とする遊技場管理システム。
【請求項５】
識別情報が記憶された無線装置と、当該識別情報を無線通信にて読み取り可能な読み取り装置と、管理装置と、記憶装置と、遊技機の遊技状態を検出可能な遊技状態検出装置とを備えた遊技場管理システムであって、
無線装置と遊技状態検出装置は各遊技機に取り付けられ、
無線装置は遊技状態検出装置と接続されており、当該遊技状態検出装置が検出した遊技状態と無線装置に記憶されている識別情報とを含む遊技状態情報を送信可能であり、
管理装置は、読み取り装置を介して無線装置からの遊技状態情報を無線通信にて受信し、受信した遊技状態情報に基づいて、識別情報に対応させて遊技状態を記憶する、
ことを特徴とする遊技場管理システム。
【発明の詳細な説明】
【技術分野】
【０００１】
本発明は、パチンコホール等の遊技場における遊技場管理システムに関し、特に遊技機の入替え等に伴う設定内容の入力等の作業を大幅に削減できる遊技場管理システムに関する。
【背景技術】
【０００２】
従来より、遊技場では集客率を向上させるために、種々の遊技機を設置して、各遊技機の遊技データを収集・分析等を行っている。そして各遊技機の稼働率等を求めて、稼働率の低い旧型の遊技機を新型の遊技機と入替えたり、稼働率の高い遊技機の数を増加させたり、稼働率の高い順に遊技場内で再配置（移動）したりしている。このように、遊技場では、遊技機の入替え、移動等を頻繁に行っている。
また、遊技場では、各遊技機に直接的あるいは間接的に遊技場管理装置を接続し、各遊技機が出力する遊技データを遊技場管理装置で収集している。通常、平均的な遊技場には数１００台、大型店ともなると１０００台以上の遊技機が設置されている。
遊技場内では、遊技機毎に台番号（遊技場にて独自に設定している番号であり、遊技機に固有の番号でなく、遊技場内での位置に固有の番号）が割り付けられており、遊技場内での呼出、連絡、管理等には、この台番号が用いられることが一般的である。
また、遊技場管理装置には各遊技機の遊技データ（遊技状態）が台番号に関する情報とともに送信され、台番号毎に遊技データが収集される。また、収集した遊技データの分析等を行うために、各台番号にどのような遊技機（遊技機の名称等）を配置しているかを示した配置情報が記憶装置に記憶されている。
【０００３】
ここで、遊技機の入替え、移動等を行った場合、配置情報の内容を正しい情報に変更する必要がある。従来では、係員等が遊技場管理装置から入力して配置情報を直接更新していた。
また特許文献１では、遊技機に予め記憶されている情報（機種名、種類等）を遊技場管理装置から読み出して遊技場管理装置で自動的に更新させる方法が提案されている。
【特許文献１】特開平１０−１５２００号公報
【発明の開示】
【発明が解決しようとする課題】
【０００４】
配置情報を更新する際、係員等が入力する方法では、入替えまたは移動した遊技機の数が多い場合は多大な作業時間を要し、開店時間に間に合わない可能性や、係員等が入力を誤る可能性が考えられる。
また、遊技機の入替えまたは移動を行った場合、遊技機から出力される遊技データ（遊技状態）を検出する検出装置（各台番号の位置に設置されている）との多くの配線の取り外しと接続を行う必要があり、多大な作業時間を要する。
【０００５】
また、特開平１０−１５２００号公報で提案されている方法では、配置情報を自動的に更新することができるが、全ての遊技機に予め必要な情報が記憶されていなければならない。残念ながら、全ての遊技機メーカが全ての遊技機において採用している訳ではないため、どのような遊技機であっても自動的に配置情報を更新できるとは限らない。
また、予め遊技機に情報を記憶させる場合、記憶項目の内容、順序等を統一させる必要があり、多数の遊技機メーカが存在する現在では非常に困難である。更に、当該情報は、予め遊技機に記憶されているため、各遊技場の希望に合わせて変更することも容易ではない。また、遊技機の入替えまたは移動を行った場合、初期設定情報の登録を自動的に行うことができるが、配線の取り外しと接続は必要であり、多大な作業時間を要する。
【０００６】
本発明は、このような点に鑑みて創案されたものであり、遊技場内に設置した全ての遊技機において、入替えまたは移動等を行った遊技機を、遊技場管理装置が自動的に認識することが可能であり、入替えまたは移動を行った遊技機の設定内容の変更作業を大幅に低減可能な遊技場管理システムを提供することを課題とする。
【課題を解決するための手段】
【０００７】
上記課題を解決するための手段として、本発明の第１発明は、請求項１に記載されたとおりの遊技場管理システムである。
請求項１に記載の遊技場管理システムは、識別情報が記憶された無線装置と、当該識別情報を無線通信にて読み取り可能な読み取り装置と、管理装置と、記憶装置とを備えた遊技場管理システムであって、遊技場内において遊技機を配置する位置には任意の台番号が割付けられており、無線装置を各遊技機に取り付けるとともに前記各遊技機を台番号が割付けられた位置に任意に配置し、読み取り装置は、遊技場内の所定エリア毎に設けられ、当該所定エリア内の台番号が割付けられた位置に配置された遊技機に取り付けられている無線装置の識別情報を読み取り可能であり、無線装置は、管理装置から通信可能な状態にされた場合、読み取り装置からの要求信号を受信すると、識別情報を含む応答信号を出力する。
また、記憶装置には、無線装置の識別情報に、当該無線装置が取り付けられた遊技機に関する情報が対応付けられた対応情報が記憶されている。
そして管理装置は、所定エリア毎の台番号の割付け位置を認識しており、台番号毎に無線装置を通信可能な状態に制御可能であり、所定エリア内の台番号の無線装置を順番に通信可能な状態にするとともに、読み取り装置を介して応答信号を受信し、通信可能な状態にしている無線装置の台番号に対応させて、当該通信可能な状態にしている無線装置から受信した応答信号に含まれている識別情報を対応付ける。
【０００８】
また、本発明の第２発明は、請求項２に記載されたとおりの遊技場管理システムである。
請求項２に記載の遊技場管理システムは、識別情報が記憶された無線装置と、当該識別情報を無線通信にて読み取り可能な読み取り装置と、管理装置と、記憶装置とを備えた遊技場管理システムであって、遊技場内において遊技機を配置する位置には任意の台番号が割付けられており、無線装置を各遊技機に取り付けるとともに前記各遊技機を台番号が割付けられた位置に任意に配置し、読み取り装置は、遊技場内の所定エリア毎に設けられ、所定エリア内において単数列または複数列に直線状に配置された台番号の端部に設けられており、要求信号の出力レベルを可変であり、所定エリア内の台番号が割付けられた位置に配置された遊技機に取り付けられている無線装置の識別情報を読み取り可能であり、無線装置は、読み取り装置からの要求信号を受信すると、識別情報を含む応答信号を出力する。
また、記憶装置には、無線装置の識別情報に、当該無線装置が取り付けられた遊技機に関する情報が対応付けられた対応情報が記憶されている。
そして管理装置は、所定エリア毎の台番号の割付け位置を認識しており、読み取り装置から要求信号を出力する際、要求信号の出力レベルを第１所定レベルから徐々に増加、または第２所定レベルから徐々に減少させていく。
第１所定レベルから徐々に増加させた場合は、最初に検出した識別情報の無線装置が、読み取り装置から最も近い位置の台番号の位置の無線装置であると判定し、更に要求信号の出力レベルを徐々に増加させていき、新たに検出した識別情報の無線装置が、前回までに検出した無線装置の台番号の位置の次に近い台番号の位置の無線装置であると順次判定し、読み取り装置に対して最も遠い位置の台番号に対応する無線装置まで判定し、台番号に対応させて識別情報を対応付ける。
第２所定レベルから徐々に減少させた場合は、最初に検出できなくなった識別情報の無線装置が、読み取り装置から最も遠い位置の台番号の位置の無線装置であると判定し、更に要求信号の出力レベルを徐々に低下させていき、新たに検出できなくなった識別情報の無線装置が、前回までに検出した無線装置の台番号の位置の次に遠い台番号の位置の無線装置であると順次判定し、読み取り装置に対して最も近い位置の台番号に対応する無線装置まで判定し、台番号に対応させて識別情報を対応付ける。
【０００９】
また、本発明の第３発明は、請求項３に記載されたとおりの遊技場管理システムである。
請求項３に記載の遊技場管理システムは、識別情報が記憶された無線装置と、当該識別情報を無線通信にて読み取り可能な読み取り装置と、管理装置と、記憶装置とを備えた遊技場管理システムであって、遊技場内において遊技機を配置する位置には任意の台番号が割付けられており、無線装置を各遊技機に取り付けるとともに前記各遊技機を台番号が割付けられた位置に任意に配置し、読み取り装置は、遊技場内の所定エリア毎に設けられ、所定エリア内において単数列または複数列に直線状に配置された台番号の端部に設けられており、所定エリア内の台番号が割付けられた位置に配置された遊技機に取り付けられている無線装置の識別情報を読み取り可能である。
無線装置は応答信号の出力レベルを可変であり、読み取り装置からの要求信号を受信すると、識別情報と出力レベル情報とを含む応答信号を複数回出力するとともに、各応答信号は第１所定レベルから第２所定レベルまでの間を少なくとも台番号に対応付ける無線装置の数よりも大きい数に相当する複数のレベル毎に出力される。
また、記憶装置には、無線装置の識別情報に、当該無線装置が取り付けられた遊技機に関する情報が対応付けられた対応情報が記憶されている。
そして管理装置は、所定エリア毎の台番号の割付け位置を認識しており、同一の識別情報が含まれている応答信号の中から最も小さな出力レベル情報を含む応答信号を抽出することを、識別情報毎に行う。
管理装置は、抽出した応答信号の中から最も小さな出力レベル情報が含まれている応答信号の識別情報に対応する無線装置が、読み取り装置に最も近い位置の台番号に対応すると判定し、次に小さな出力レベル情報が含まれている応答信号の識別情報に対応する無線装置が、読み取り装置に対して次に近い位置の台番号に対応すると順次判定し、読み取り装置に対して最も遠い位置の台番号に対応する無線装置まで判定し、台番号に対応させて識別情報を対応付ける。
または、管理装置は、抽出した応答信号の中から最も大きな出力レベル情報が含まれている応答信号の識別情報に対応する無線装置が、読み取り装置に最も遠い位置の台番号に対応すると判定し、次に大きな出力レベル情報が含まれている応答信号の識別情報に対応する無線装置が、読み取り装置に対して次に遠い位置の台番号に対応すると順次判定し、読み取り装置に対して最も近い位置の台番号に対応する無線装置まで判定し、台番号に対応させて識別情報を対応付ける。
【００１０】
また、本発明の第４発明は、請求項４に記載されたとおりの遊技場管理システムである。
請求項４に記載の遊技場管理システムは、請求項２または３に記載の遊技場管理システムであって、無線装置は、管理装置から通信可能な状態にされた場合に応答信号を出力可能であり、所定エリア内に台番号が複数列で配置されている場合、管理装置は列毎に無線装置を通信可能な状態に制御可能である。
【００１１】
また、本発明の第５発明は、請求項５に記載されたとおりの遊技場管理システムである。
請求項５に記載の遊技場管理システムは、識別情報が記憶された無線装置と、当該識別情報を無線通信にて読み取り可能な読み取り装置と、管理装置と、記憶装置と、遊技機の遊技状態を検出可能な遊技状態検出装置とを備えた遊技場管理システムである。
無線装置と遊技状態検出装置は各遊技機に取り付けられ、無線装置は遊技状態検出装置と接続されており、当該遊技状態検出装置が検出した遊技状態と無線装置に記憶されている識別情報とを含む遊技状態情報を送信可能である。
そして管理装置は、読み取り装置を介して無線装置からの遊技状態情報を無線通信にて受信し、受信した遊技状態情報に基づいて、識別情報に対応させて遊技状態を記憶する。
【発明の効果】
【００１２】
請求項１に記載の遊技場管理システムでは、遊技機に無線装置（例えば非接触タイプのＩＣタグ）を取り付け、無線装置の識別情報と遊技機に関する情報（例えば遊技機の名称、遊技機の種類等）とを対応付けた対応情報を予め記憶させておく。
そして、無線装置を取り付けた遊技機を任意の台番号の位置に配置し、読み取り装置（例えばＩＣタグリーダ）から無線通信にて、各台番号の位置の無線装置の識別情報を読み取ることで、管理装置は、どの台番号の位置に、どの遊技機が配置されているかを、自動的に認識することができる。
なお、読み取り装置が各台番号の位置に配置された遊技機の無線装置から識別情報を読み取る際、読み取りを行う台番号の位置の無線装置のみ通信可能な状態にする（例えば電源を供給する）。
これにより、比較的容易な構成にて適切に混信を回避することができ、遊技機の入替えまたは移動を行った場合であっても、台番号に対応する遊技機に関する情報を係員等が再入力する必要がなくなり、大幅に作業時間を低減することができる。
【００１３】
また、請求項２に記載の遊技場管理システムは、台番号は所定エリア内で直線状に配置されており、直線状の配置は単数列または複数列である。そして読み取り装置を端部に配置することで、読み取り装置から各無線装置までの距離が異なるように配置された状態となる。
この状態にて、読み取り装置からの要求信号の出力レベルを充分低いレベルから徐々に増加させていくと、最初に応答信号の出力を開始する無線装置は、当然ながら読み取り装置に最も近い位置の無線装置である。更に要求信号の出力レベルを増加させていくと、次に応答信号の出力を開始するのは、当然ながら次に近い位置の無線装置である。このようにして、比較的容易な方法で順番に近い位置の台番号の識別情報から認識させる。
または、最初に読み取り装置から充分高い出力レベルで要求信号を出力し、所定エリア内の全ての無線装置から応答信号を出力させておく。そして、読み取り装置からの出力レベルを徐々に低下させていくと、最初に応答信号を出力しなくなるのは、当然ながら最も遠い位置の無線装置である。更に要求信号の出力レベルを低下させていくと、次に応答信号の出力をしなくなるのは、当然ながら次に遠い位置の無線装置である。このようにして、比較的容易な方法で順番に遠い位置（所定エリア内における遠い位置）の台番号の識別情報から認識させる。
これにより、比較的容易な構成にて適切に混信を回避することができ、遊技機の入替えまたは移動を行った場合であっても、台番号に対応する遊技機に関する情報を係員等が再入力する必要がなくなり、大幅に作業時間を低減することができる。
【００１４】
また、請求項３に記載の遊技場管理システムは、無線装置は応答信号の出力レベルを可変であり、無線装置からの応答信号に、識別情報に加えて自身の出力レベルを含ませる。
距離が近くなるにつれて読み取り装置で受信可能な出力レベルが小さくなるので、管理装置は最も小さな出力レベルの応答信号を出力してきたのは最も近い位置の台番号の位置の無線装置であると判定する。そして次に小さな出力レベルの応答信号を出力してきたのは次に近い位置の台番号の位置の無線装置であると判定する。このようにして、比較的容易な方法で順番に近い位置（所定エリア内における近い位置）の台番号の識別情報から認識させることができる。
または、最も大きな出力レベルの応答信号を出力してきたのは最も遠い位置の台番号の位置の無線装置であると判定する。そして次に大きな出力レベルの応答信号を出力してきたのは次に遠い位置の台番号の位置の無線装置であると判定する。このようにして、比較的容易な方法で順番に遠い位置（所定エリア内における遠い位置）の台番号の識別情報から認識させることができる。
【００１５】
また、請求項４に記載の遊技場管理システムは、直線状の台番号の配置が複数列の場合、例えば１列目における各台番号の位置と読み取り装置との各距離と、２列目における各台番号の位置と読み取り装置との各距離との差が小さい場合（つまり、似たような距離に１列目の台番号Ａと２列目の台番号Ｂとが存在するような場合）、列毎に読み取りを行うことで、適切に混信を回避し、各台番号に識別情報を対応付ける処理を適切に行うことができる。
【００１６】
また、請求項５に記載の遊技場管理システムは、遊技機の遊技状態を検出可能な遊技状態検出装置と、識別情報を記憶した無線装置とを各遊技機に取り付ける。そして無線装置は遊技状態検出装置が検出した遊技状態と、自身に記憶されている識別情報とを含む遊技状態情報を無線通信にて送信する。
これにより、遊技機を入替えまたは移動した場合であっても、遊技状態を検出するための配線接続作業を行わなくても遊技状態を収集することができ、遊技機の配線接続作業を大幅に低減することができる。また、入替え後の遊技機の配線接続作業の低減とともに、入替え前の遊技機の配線取り外し作業も低減することができる。
【発明を実施するための最良の形態】
【００１７】
以下に本発明を実施するための最良の形態を図面を用いて説明する。図１（Ａ）は遊技場内における遊技機の配置位置を示す場内マップＭの例を示している。また、図１（Ｂ）は遊技場内での「島（遊技機を所定エリア毎の複数のグループに分類した中での１つの所定エリア）」の構成の概略図を示している。
【００１８】
●●［遊技場内における遊技機の配置位置と「島」の構成（図１）］
図１（Ａ）は場内マップＭの例を示している。遊技場内の各位置には、遊技場内での位置を特定するために遊技場にて独自に付けた台番号が割り付けられている。各台番号の位置には１台の遊技機が設置される。
なお台番号は、遊技機に固有の番号でなく、遊技場内の位置に固有の番号であり、通常、遊技場内では顧客も店員（係員）も「台番号」を用いて遊技場内の遊技機を特定しており、遊技場も「台番号」を用いて遊技機を管理している。
また遊技場内では、複数の台番号を「島」と呼ばれる所定エリア毎のグループに分けることで、台番号の位置に設置された遊技機５０を「島」毎に設置した島管理ユニット２０（図１（Ｂ）参照）にて管理している。更に「島」毎に設置した島管理ユニット２０を管理装置１０で管理（図２（Ａ）参照）することで、遊技場内の全遊技機５０を管理している。
図１（Ａ）に示す例は、台番号１〜５（一列）のエリアを示す「島１」、台番号６〜１５（背中合わせの２列）を示す「島２」、台番号１６〜２５（背中合わせの２列）を示す「島３」、台番号２６〜３０（一列）のエリアを示す「島４」、の４つの「島」を有する遊技場の場内マップＭの例を示している。
【００１９】
図１（Ｂ）は「島（この例では「島２」）」の構成を示す概略図である。島枠２２には、各機器を収容する空間と、収容された機器を接続する配線等が予め用意されている。例えば島枠２２には、遊技媒体（玉、メダル等）の数を計数する計数機６２、「島」内の遊技機５０を管理する島管理ユニット２０、台番号の位置に設ける遊技機５０、遊技機５０に対応させた台端末装置４０（遊技媒体の貸し出し、会員カードの受付等を行う端末であり、通常は遊技機の左隣に配置）、遊技機５０に対応させた表示装置６０（台番号が表示されており、通常は遊技機の上方に配置され、遊技中の顧客が係員等を呼び出す際にも用いられる装置）等が設けられる。
【００２０】
●●［島管理ユニットと遊技機との無線通信（図２）］
次に図２を用いて、本発明の遊技場管理システム１における、島管理ユニット２０と遊技機５０との無線通信について説明する。
本発明の遊技場管理システム１では、各遊技機５０に識別情報（ＩＤ）が記憶された無線装置７２を取り付け、各「島」に設けた読み取り装置７０を用いて識別情報を読み出し、「島」内の台番号と識別情報とを自動的に対応付けるものである。
遊技場管理システム１は、無線装置７２と、無線装置７２の識別情報を無線通信にて読み取り可能な読み取り装置７０（アンテナ７１を含む）と、管理装置１０と、記憶装置（この例では記憶装置は管理装置１０内に設けられている）とで構成されている。また、記憶装置には予め無線装置７２の識別情報に、当該無線装置７２が取り付けられた遊技機５０に関する情報が対応付けられた対応情報１２（図４（Ａ）参照）が記憶されている。なお、本実施の形態では、読み取り装置７０は島管理ユニット２０に接続されており、管理装置１０は島管理ユニット２０を介して読み取り装置７０から無線装置７２の識別情報を読み取ることが可能である。
【００２１】
次に図２（Ｂ）に無線装置７２の内部の概略構成を示す。無線装置７２は、いわゆるＩＣタグであり、アンテナ７２α、ＩＣチップ７２γ（ＣＰＵ等）、電池７２β等で構成されており、読み取り装置７０（この場合ＩＣタグリーダ）のアンテナ７１と無線装置７２とが数ｍ以上離れていても通信可能な長距離型のものを用いている。無線装置７２は読み取り装置７０からの読み取り要求信号（電波）を受信すると、自身に記憶されている識別情報（ＩＤ）を含む応答信号を送信する。
また、本実施の形態では、複数の無線装置７２から同時に応答信号が送信される場合、複数の無線装置７２からの応答信号を識別する混在読み取り機能を備えた読み取り装置７０を用いている（複数が同時に応答信号を送信しない場合は、混在読み取り機能を備えなくてもよい）。
なお、無線装置７２への識別情報は、書き込み装置（ＩＣタグライタ等）を用いて、任意の情報を書き込むことが可能であり、遊技場が所望する独自の情報を記憶させることが可能である。
【００２２】
本発明にて目指す形態は、遊技機５０の入替えまたは移動を行う場合、図１（Ｂ）に示すように入替えまたは移動する遊技機５０を島枠２２に取り付けて電源を接続するだけで、入替えまたは移動の作業を終了できるようにするものである。
これにより、以下の（１）及び（２）に示す従来の作業を省略することができ、入替えまたは移動の作業量を大幅に削減できるものである。
（１）各台番号の位置に、どのような遊技機（遊技機名称等）を配置しているかを示す配置情報１３Ｚ（図９（Ａ）参照）の、係員による入力作業。
（２）各遊技機の入替えまたは移動の際、（旧）遊技機の配線を取り外す作業と（新）遊技機の配線を接続する作業。
なお、遊技機の配線を取り外す作業と、遊技機の配線を接続する作業について、図１０を用いて説明する。従来の遊技場では、遊技機５０の出力端子５０ｔから出力される遊技状態を示す各種の信号（セーフ数を示すパルス信号、アウト数を示すパルス信号、入賞して始動開始したことを示すパルス信号等）を各々検出する台管理ユニット３０を、遊技機に固定せずに島枠２２に固定している。従って、遊技機５０を島枠２２から取り出す際は、この台管理ユニット３０から遊技機５０の出力端子５０ｔに接続されている配線を取り外す作業が必要である。また、遊技機５０を島枠２２に取り付ける際は、この台管理ユニット３０から遊技機５０の出力端子５０ｔに配線を接続する作業が必要である。入替えまたは移動した遊技機が多い場合、多大な作業時間が必要となる。
【００２３】
●●［（１）台番号と識別情報を対応付けた配置情報の自動作成（図３〜図６）］
次に、識別情報（ＩＤ）が記憶された無線装置７２を取り付けた遊技機５０を、任意の台番号の位置に配置した場合であっても、管理装置１０が各台番号の位置に、どの識別情報を有する無線装置７２（すなわち、どの遊技機）が配置されているかを自動的に判定することができる構成及び方法（第１〜第４の実施の形態）を順に説明する。
なお、記憶装置には、無線装置７２の識別情報（ＩＤ）に、当該無線装置７２が取り付けられた遊技機５０に関する情報が対応付けられた対応情報１２（図４（Ａ）参照）が、係員等の入力により、予め記憶されている。また、対応情報１２に記憶されている遊技機に関する情報は、例えば遊技機名称、グループ名称（遊技機の種類を分類するグループ名等）、メーカ等（遊技機の製造元等）があり、遊技場が独自に設定することができる。
なお、管理装置１０は、「島」毎の台番号の割付け位置を認識している（例えば図１（Ａ）に示す「島２」には台番号６〜１５が割付けられていることを認識している）。
【００２４】
●［第１の実施の形態：読み取り装置からの送信レベルの強弱で台番号と識別情報を対応付ける方法（図３〜図４）］
次に図３及び図４を用いて、読み取り装置からの送信レベル（要求信号の出力レベル）の強弱で台番号と識別情報とを対応付ける方法について説明する。無線装置７２は読み取り装置７０からの読み取り要求信号（電波）を受信すると、自身に記憶されている識別情報（ＩＤ）を含む応答信号を送信する。
また、図３（Ａ）に示すように、島枠２２内において読み取り装置７０のアンテナ７１から各無線装置７２ａ〜７２Ｅまでの距離は、各々異なる距離に設定されている。この状態にて、読み取り装置７０のアンテナ７１から送信する読み取り要求信号の出力レベルを徐々に大きくしていき、応答信号の出力を開始してきた順番にアンテナ７１の近くに配置されていると判定するものである。以下、詳細を説明する。
【００２５】
ここで、例えば当該「島」内にて図３（Ｂ）に示すように、列Ｌ側は台番号６〜１０が割り付けられており、列Ｒ側は台番号１１〜１５が割り付けられているものとする。また管理装置１０は、読み取り装置７０のアンテナ７１から近い順に台番号が６、１１、７、１２、８、１３、９、１４、１０、１５と並んでいることを認識している。
上記の状態において、例えば遊技場の開店前等の所定のタイミングにて、読み取り装置７０から要求信号を送信する。なお、読み取り装置７０から送信する要求信号の出力レベルは、図３（Ｃ）に示すように、充分低いレベル０（最も近い無線装置７２ａが受信可能となるレベルの近傍のレベルであり、第１所定レベルに相当する）から徐々に出力レベルを増加させていく。
なお図３（Ｃ）は、横軸が無線装置７０のアンテナ７１から各無線装置までの距離を示している（例えばＬ７２ａは無線装置７２ａまでの距離を示しており、Ｌ７２Ａは無線装置７２Ａまでの距離を示している。）。また図３（Ｃ）の縦軸は、読み取り装置７０から送信する要求信号の出力レベルを示しており、グラフは距離が遠くなるにつれてレベルが低下していることを示している。
また図３（Ｃ）中の一点鎖線で示す応答下限は、無線装置が認識可能（受信可能）な要求信号のレベルを示しており、応答下限よりも高いレベルの要求信号は認識できるが、応答下限よりも低いレベルの要求信号は認識できないことを示している。
【００２６】
読み取り装置７０は要求信号の出力レベルを可変であり、管理装置１０は、読み取り装置７０からの要求信号の出力レベルがレベル０の場合、無線装置７２ａ〜７２Ｅのどれからも応答信号を受信しないことを確認する。そして徐々に読み取り装置７０からの出力レベルを増加させていくと、レベル１（図３（Ｃ）参照）にて１つの無線装置からの応答信号を受信する。この応答してきた無線装置は、図３（Ｃ）に示すように、レベル１の状態にて応答下限を越えている無線装置７２ａからのものである。管理装置１０は、最初に検出した識別情報（この場合、無線装置７２ａのＩＤ）を、最も近い台番号「６」の位置の無線装置７２ａの識別情報であると判定する。
管理装置１０は、更に要求信号の出力レベルを徐々に増加させていき、レベル２（図３（Ｃ）参照）にて２つの無線装置からの応答信号を受信する。この２つの応答信号の中の１つは既に判定が終了している無線装置７２ａからのものであるが、新たに検出したもう１つの応答信号に含まれている識別情報は、次に近い台番号「１１」の位置の無線装置７２ａの識別情報であると判定する。このように、徐々に出力レベルを増加させていき、新たに検出した識別情報の無線装置が、前回までに検出した無線装置の台番号の位置の次に近い側の台番号の位置の無線装置であると、順番に判定していく。
そして管理装置１０は、台番号に対応させて識別情報を対応付けた配置情報１３（図４（Ｂ）参照）を自動的に作成する。
【００２７】
なお、図３（Ａ）に示す列Ｌの各無線装置７２ａ〜７２ｅからアンテナ７１までの各距離と、列Ｒの各無線装置７２Ａ〜７２Ｅからアンテナ７１までの各距離とがほぼ等しい場合（つまり、図３（Ｃ）において距離Ｌ７２ａと距離Ｌ７２Ａ、距離Ｌ７２ｂと距離Ｌ７２Ｂ等がほぼ等しい場合）、同じ出力レベルであっても、新たに検出される識別情報が２つになり、台番号と識別情報とを対応付けることができない。
この場合、管理装置１０は島管理ユニット２０を介して列Ｌまたは列Ｒの無線装置をそれぞれの列で送信可能な状態または送信不可能な状態に制御可能に構成し、列Ｌまたは列Ｒの一方の列の無線装置のみ送信可能な状態にすればよい（例えば、電源を必要とするタイプの無線装置７２を用い、電源の供給と停止を列毎に制御する）。
【００２８】
なお、読み取り装置７０から送信する要求信号の出力レベルを低いレベルから徐々に増加させるのとは反対に、要求信号の出力レベルを高いレベルから徐々に低下させてもよい。この場合、まず管理装置１０は無線装置７２ａ〜７２Ｅの全てが応答信号を出力するような高い出力レベル（最も遠い無線装置７２Ｅが受信可能となるレベルの近傍のレベルであり、第２所定レベルに相当する）の要求信号を出力する。管理装置１０は、その状態から徐々に出力レベルを低下させていき、最初に検出できなくなった識別情報（この場合、無線装置７２ＥのＩＤ）を、アンテナ７１から最も遠い台番号「１５」の位置の無線装置７２Ｅの識別情報であると判定する。
管理装置１０は、更に要求信号の出力レベルを徐々に低下させていき、新たに検出できなくなった応答信号に含まれている識別情報は、次に遠い台番号「１０」の位置の無線装置７２ｅの識別情報であると判定する。このように、徐々に出力レベルを低下させていき、新たに検出しなくなった識別情報の無線装置が、前回までに検出した無線装置の台番号の位置の次に遠い側の台番号の位置の無線装置であると、順番に判定していく。
そして管理装置１０は、台番号に対応させて識別情報を対応付けた配置情報１３（図４（Ｂ）参照）を自動的に作成する。
【００２９】
以上のように管理装置１０は、各台番号の位置に対応する識別情報（ＩＤ）を判定し、図４（Ｂ）に示す配置情報１３を作成する。配置情報１３には、各台番号に対して、管理装置１０が読み取った識別情報（ＩＤ）が対応付けられている。
対応情報１２は、一旦入力すれば、新たな遊技機への新たな識別情報（ＩＤ）の割り付けがない限り、遊技機の移動を行っても、設定内容を変更する必要はない。
また、配置情報１３は、遊技機の入替えまたは移動を行う毎に設定内容を変更する必要があるが、管理装置１０により自動的に変更されるので、設定内容の変更作業を大幅に削減することができる（作業者は変更の指示を行うだけでよい）。
【００３０】
●［第２の実施の形態：無線装置からの送信レベルの強弱で台番号と識別情報を対応付ける方法（図５）］
次に図５を用いて、無線装置からの送信レベル（応答信号の出力レベル）の強弱で台番号と識別情報を対応付ける方法について説明する。無線装置７２は読み取り装置７０からの読み取り要求信号（電波）を受信すると、自身に記憶されている識別情報（ＩＤ）を含む応答信号を送信する。なお本実施の形態では、無線装置は、応答信号の出力レベルを適宜変更し、複数回の応答信号を出力する。
第２の実施の形態は第１の実施の形態に対して、出力レベルを変更するのが読み取り装置７０でなく無線装置７２である点と、応答信号に出力レベル情報が含まれている点と、管理装置１０による判定方法が異なる。以下、第１の実施の形態との相違点について説明する。
【００３１】
図５（Ａ）は、横軸が図３（Ｃ）と同様に無線装置７０のアンテナ７１から各無線装置までの距離を示しており、縦軸は読み取り装置７０で受信する応答信号のレベルを示している。グラフは同じ出力レベルで応答信号を出力しても距離が遠くなるにつれて読み取り装置７０で受信するレベルが低下していることを示している。
また図５（Ｂ）に示すように、各無線装置７２から送信する応答信号には、識別情報（ＩＤ）と出力レベル情報が含まれている。
無線装置７２は応答信号の出力レベルを可変であり、読み取り装置７０からの要求信号を受信すると、識別情報（ＩＤ）と出力レベル情報とを含む応答信号を複数回出力する。また無線装置７２は、複数回出力する際、出力レベルを変更して出力する。更に、変更される出力レベルは、第１所定レベルから第２所定レベルまでの間を、少なくとも台番号に対応付ける無線装置７２の数よりも大きい数で分割したレベルとし、レベル毎の応答信号を送信することで応答信号を複数回送信している。本実施の形態では、図３（Ｂ）に示すように１０個の台番号に対応付ける１０個の無線装置７２があるため、例えばｎ＝２０（１０個以上）のレベルに分割し、２０通りの（レベル毎の）応答信号を出力する。
なお、第１所定レベルは、図５（Ａ）に示すレベル０に相当し、最も近い無線装置７２ａからの応答信号が読み取り装置７０にて受信可能となる近傍のレベルである。また、第２所定レベルは、図５（Ａ）に示すレベルｎに相当し、最も遠い無線装置７２Ｅからの応答信号が読み取り装置７０にて受信可能となる近傍のレベルである。
【００３２】
次に、図３（Ａ）及び（Ｂ）の配置において、上記の応答信号を受信した管理装置１０が、各台番号に識別情報を対応付ける方法について説明する。
管理装置１０は、受信した応答信号の中から最も小さな出力レベル情報を含む応答信号を抽出し、当該応答信号に含まれている識別情報（この場合、無線装置７２ａのＩＤ）を、最も近い台番号「６」の位置の無線装置７２ａの識別情報であると判定する。
そして管理装置１０は、次に小さな出力レベル情報を含む応答信号を抽出し（既に判定した無線装置７２ａのＩＤが含まれている応答信号は除外しておく）、当該応答信号に含まれている識別情報（この場合、無線装置７２ＡのＩＤ）を、次に近い台番号「１１」の位置の無線装置７２Ａの識別情報であると判定する。以降、同様に近い側から判定していき、最も遠い台番号「１５」まで判定する。
そして管理装置１０は、台番号に対応させて識別情報を対応付けた配置情報１３（図４（Ｂ）参照）を自動的に作成する。
【００３３】
また、第１の実施の形態と同様に、図３（Ａ）及び（Ｂ）に示す列Ｌと列Ｒの各無線装置とアンテナ７１との距離がほぼ等しい場合、管理装置１０は島管理ユニット２０を介して列Ｌまたは列Ｒの無線装置を列毎に送信可能な状態または送信不可能な状態にできるように構成し、列Ｌまたは列Ｒの一方の列の無線装置のみ送信可能な状態にすればよい（例えば、電源を必要とするタイプの無線装置７２を用い、電源の供給と停止を列毎に制御する）。
他の判定方法としては、同一の識別情報（ＩＤ）が含まれている応答信号の中から最も小さな出力レベル情報が含まれている応答信号を抽出する処理を、識別情報（ＩＤ）毎に行う。
そして、抽出した応答信号の中から最も小さな出力レベル情報が含まれている応答信号の識別情報を、読み取り装置７０に最も近い位置の台番号に対応付ける。そして、次に小さな出力レベル情報が含まれている応答信号の識別情報を、次に近い位置の台番号に対応付ける。以下同様に、最も遠い位置の台番号まで識別情報を対応付ける。
また逆に、抽出した応答信号の中から最も大きな出力レベル情報が含まれている応答信号の識別情報を、読み取り装置７０から最も遠い位置の台番号に対応付ける。そして、次に大きな出力レベル情報が含まれている応答信号の識別情報を、次に遠い位置の台番号に対応付ける。以下同様に、最も近い位置の台番号まで識別情報を対応付ける。
【００３４】
なお、対応情報１２は予め係員等にて入力する点、管理装置１０にて判定した各台番号の位置に対応する識別情報（ＩＤ）に基づいて自動的に配置情報１３を作成する点は、第１の実施の形態と同様であるので説明を省略する。
対応情報１２は、一旦入力すれば、遊技機の移動を行っても、設定内容を変更する必要はない点、配置情報１３は、管理装置１０により自動的に変更されるので、設定内容の変更作業を大幅に削減することができる点は第１の実施の形態と同様である。
【００３５】
●［第３の実施の形態：無線装置を送信可能な状態または送信不可能な状態に制御して台番号と識別情報を対応付ける方法］
次に、無線装置を送信可能な状態または送信不可能な状態に制御して（すなわち、応答信号を出力する無線装置を指定して）台番号と識別情報を対応付ける方法について説明する。無線装置を送信可能な状態または送信不可能な状態に制御するには、例えば、無線装置７２には、電源が供給されている場合に、読み取り装置７０からの読み取り要求信号（電波）を受信すると、自身に記憶されている識別情報（ＩＤ）を含む応答信号を送信するアクティブ型のＩＣタグを用いている。以下の説明では、無線装置７２への電源の供給または停止を制御することで、送信可能な状態と送信不可能な状態を制御する例を説明する。なお、送信可能な状態と送信不可能な状態を制御する方法は、電波を遮断するカバーの開閉を制御してもよく、電源の制御に限定されるものではない。
第３の実施の形態は、第１及び第２の実施の形態に対して、管理装置１０から各台番号の位置の無線装置を指定して通信可能な状態にして（この場合、電源を供給して）、通信可能な状態にした（この場合、電源を供給した）無線装置の識別情報を読み出すものである。
【００３６】
管理装置１０は台番号毎に、無線装置への電源の供給と供給停止を制御可能に構成されている。例えば図３（Ａ）及び（Ｂ）の配置において、管理装置１０は台番号「６」の無線装置７２ａにのみ電源を供給し、読み取り装置７０を介して無線装置７２ａからの応答信号を受信する。無線装置７２ａから送信される応答信号には、図２（Ｂ）に示すように識別情報（ＩＤ）が含まれている。そして管理装置１０は、受信した応答信号に含まれている識別情報（ＩＤ）を台番号「６」に対応付ける。以上の処理を管理装置１０は台番号「６」から台番号「１５」まで行う。
そして管理装置１０は、台番号に対応させて識別情報を対応付けた配置情報１３（図４（Ｂ）参照）を自動的に作成する。
なお、対応情報１２は予め係員等にて入力する点は、第１及び第２の実施の形態と同様であるので説明を省略する。
対応情報１２は、一旦入力すれば、遊技機の移動を行っても、設定内容を変更する必要はない点、配置情報１３は、管理装置１０により自動的に変更されるので、設定内容の変更作業を大幅に削減することができる点は第１及び第２の実施の形態と同様である。
【００３７】
●［第４の実施の形態：係員が読み取り装置を持ち歩く方法（図６）］
次に図６（Ａ）〜（Ｄ）を用いて、係員が読み取り装置７０を持ち歩いて識別情報を収集して管理装置１０に転送し、管理装置１０にて各台番号に識別情報を対応付ける方法について説明する。
図６（Ａ）は、島枠２２内の遊技機５０及び無線装置７２ａ〜７２Ｅの配置の平面図を示しており、無線装置７２Ａ〜７２Ｅの各々の送受信可能領域を一点鎖線の円で示している。第４の実施の形態では、無線装置の送受信可能領域が１ｍ程度のものを用いており、電源を必要としないタイプのものであってもよい。
係員は読み取り装置７０を持ち、二点鎖線で示す方向に歩き、無線装置７２Ａ〜７２Ｅから順に識別情報を収集する。読み取り装置７０は、図６（Ｃ）に示すように、アンテナ７１を含み、表示装置７０ａ（ＬＣＤモニタ等）、入力装置７０ｂ（操作ボタン等）を備えている。そして係員は図６（Ｄ）に示す手順で識別情報を収集する。なお、図６（Ａ）に対する台番号は、図６（Ｂ）に示すとおりとする。
【００３８】
ステップＳ１０にて、係員は、識別情報を収集する「島」の（一方の列の）先頭位置（図６（Ａ）の例では島の列Ｒの先頭に相当する台番号「１１」の左側）に立ち、読み取り装置７０にて収集を開始する操作を行う（例えば収集開始ボタンを押す）。
ステップＳ２０にて、係員は、今から収集する識別情報が、どの島のどの列の識別情報であるか入力する（例えば「島２の列Ｒ」の場合、「２Ｒ」と入力する）。
ステップＳ３０にて、係員は読み取り装置７０を持った状態で、島に沿って図６（Ａ）の二点鎖線で示す方向に歩き、無線装置からの応答信号を順に受信して記憶していくことで、識別情報を収集する。
【００３９】
例えば、係員が図６（Ａ）の状態から島に沿って右側に歩いて領域Ａに入ると、読み取り装置７０は、無線装置７２Ａからの応答信号を受信して記憶する。
更に係員が歩いて領域Ａ＋Ｂに入ると、読み取り装置７０は無線装置７２Ａと７２Ｂからの応答信号を受信する。この場合、新たに受信した無線装置７２Ｂの応答信号の記憶を前回までの記憶内容に追加する。更に係員が歩いて領域Ｂに入ると、読み取り装置７０は無線装置７２Ｂからの応答信号を受信するが、新たな応答信号でないので、特に記憶内容に追加しない。
係員が歩くことによって各領域に入る毎に、読み取り装置７０は、新たな応答信号があれば、記憶内容に追加する。
【００４０】
そしてステップＳ４０にて、係員は島の端まで到達した場合（この場合、台番号１５を通過した場合）、読み取り装置７０にて収集を終了する操作を行う（例えば収集終了ボタンを押す）。
ステップＳ５０にて、全島からの収集が終了していない（Ｎｏ）場合、係員は次の島の先頭位置に移動して収集を繰り返す。全島からの収集が終了している（Ｙｅｓ）場合、ステップＳ７０にて、係員は読み取り装置７０の収集結果を管理装置１０に転送する。例えば読み取り装置７０と管理装置１０とを無線または有線の通信回線で接続して転送したり、記憶媒体（メモリカード等）を用いたり、予め用意された方法で転送する。なお、全島から収集することなく、入替えまたは移動を行った島のみから収集してもよい。
管理装置１０は、転送された収集結果に基づいて、台番号に識別情報を対応付けて配置情報１３を作成する。
【００４１】
●●［（２）遊技機の入替えまたは移動の際の、配線取り外しと配線接続を不要とする構成と、識別情報に対応させた遊技状態の収集（図７〜図８）］
次に、遊技機の入替えまたは移動の際の、配線取り外しと配線接続を不要とする構成、及び識別情報に対応させて遊技状態を収集する方法について説明する。
従来の遊技場では図１０にて説明したように、遊技機５０の遊技状態を検出する台管理ユニット３０を島枠２２に固定させていたが、本実施の形態では台管理ユニット３０を遊技機５０に固定するとともに、台管理ユニット３０と無線装置７２とを接続し、台管理ユニット３０で検出した遊技状態を、無線装置７２から無線通信にて送信する（図７（Ａ）参照）。
これにより、遊技機の入替えまたは移動の際、現在の遊技機を取り外す場合に台管理ユニット３０と遊技機５０との配線を取り外す必要がなく、新たな遊技機を取り付ける場合に台管理ユニット３０と遊技機５０との配線を再接続する必要もない。従って、配線取り外し作業及び配線接続作業を省略させることができる。
図７（Ｂ）は遊技機５０の裏側を示している。台管理ユニット３０は遊技機５０の遊技状態を出力する出力端子５０ｔと配線３０ａで接続されており、台管理ユニット３０と無線装置７２とが配線３０ｅで接続されている。
【００４２】
台管理ユニット３０は、遊技機の出力端子５０ｔからの信号を受ける入力インターフェース３０ｄ（以下、インターフェースをＩ／Ｆと記載する）、入力された信号に基づいてセーフ数、アウト数等を計数し、所定のタイミングで無線装置７２に、検出した遊技状態を送信するＣＰＵ３０ｃ、ＣＰＵ３０ｃと無線装置７２との通信Ｉ／Ｆ３０ｄ等で構成されている。
無線装置７２は、一定時間毎、あるいは読み取り装置７０からの要求信号を受信する毎に、識別情報（ＩＤ）と遊技状態（セーフ数、アウト数等）を含む遊技状態情報を読み取り装置７０に送信する。なお、本実施の形態では、遊技状態情報には時刻に関する情報（遊技状態を検出した期間に関する時刻（例えば１０時２０分〜１０時２１分）等）が含まれている。
【００４３】
また図８（Ａ）及び（Ｂ）に、管理装置１０が受信した遊技状態情報を遊技履歴情報として表示させた例を示している。
例えば図８（Ａ）は識別情報（ＩＤ：１１１）の遊技機５０からの遊技状態情報の履歴を表示させた遊技情報１４Ａの例を示している。なお、台番号、年月日は、管理装置１０にて配置情報１３及び管理装置１０内のタイマ等を用いて追加している。この遊技情報１４Ａを用いて、例えば識別情報（ＩＤ：１１１）の遊技機の稼働率を演算及び表示させれば、遊技場内で当該遊技機をどこに移動させようが、遊技場内に設置されていた全期間における当該遊技機の稼働率の推移を表示させることができる。（従来は台番号で管理していたので、現在の台番号の位置に設置された期間の推移しか表示することができなかった。）
なお、従来と同様に、図８（Ｂ）に示すように、台番号に対応させて遊技状態情報を表示させた遊技情報１４Ｂを示すことも可能である。この場合、どの時点で遊技機の入替えまたは移動を行ったか、明確に知ることができる。
【００４４】
ここで、従来の遊技情報１４Ｚの例を図９（Ｂ）に示す。従来の遊技情報１４Ｚでは、各年月日の遊技状態が、どの遊技機によるものかを判断できる情報を残していない。従って、稼働率等の変動が発生した場合、遊技機の入替え効果によるものか、偶然発生したものか等を係員が判断することが非常に困難である。
本実施の形態では、識別情報（ＩＤ）を遊技情報１４Ｂに記憶しているので、少なくとも遊技機の入替え効果によるものか否かを判断することが容易となる。
上記のような構成であるため、遊技機を移動しても、移動後の遊技機のデータ（遊技情報等）を追跡できるという効果がある。
【００４５】
本発明の遊技場管理システムは、本発明の要旨を変更しない範囲で種々の変更、追加、削除が可能である。
また、本実施の形態で説明した対応情報１２、配置情報１３、グラフ等は、本実施の形態にて説明したものに限定されるものではない。
本実施の形態の説明に用いた数値等は一例であり、この数値等に限定されるものではない。
【図面の簡単な説明】
【００４６】
【図１】遊技場内における遊技機の配置位置と「島」の構成を説明する図である。
【図２】本発明の遊技場管理システム１の構成の例と無線装置７２の構成の例を説明する図である。
【図３】配置情報１３を自動作成する第１の実施の形態を説明する図である。
【図４】対応情報１２及び配置情報１３の例を示す図である。
【図５】配置情報１３を自動作成する第２の実施の形態を説明する図である。
【図６】配置情報１３を自動作成する第４の実施の形態を説明する図である。
【図７】台管理ユニット３０を遊技機５０に固定し、遊技状態情報を無線にて送信する例を説明する図である。
【図８】本発明による遊技情報１４Ａ及び１４Ｂの例を示す図である。
【図９】従来の配置情報１３Ｚと遊技情報１４Ｚの例を示す図である。
【図１０】従来の遊技場管理システム２の構成及び配線の例を説明する図である。
【符号の説明】
【００４７】
１      遊技場管理システム
１０    管理装置
２０    島管理ユニット
３０    台管理ユニット
４０    台端末装置
５０    遊技機
６０    表示装置
７０    読み取り装置
７１    アンテナ
７２、７２ａ〜７２ｅ、７２Ａ〜７２Ｅ    無線装置
【図１】
2006034399.tif 000003
【図２】
2006034399.tif 000004
【図３】
2006034399.tif 000005
【図４】
2006034399.tif 000006
【図５】
2006034399.tif 000007
【図６】
2006034399.tif 000008
【図７】
2006034399.tif 000009
【図８】
2006034399.tif 000010
【図９】
2006034399.tif 000011
【図１０】
2006034399.tif 000012